(57)【特許請求の範囲】
【請求項１】
かみそりヘッド（６）に設けた外刃ホルダー（２５）が、かみそりヘッド（６）の前後面のいずれか一方に設けた左右方向の軸線を中心にして、前後方向へ揺動可能に支持してある電気かみそりであって、
外刃ホルダー（２５）とかみそりヘッド（６）とは、これらのいずれか一方に設けた上下方向の溝（４１）と、溝（４１）に対して相対スライドする軸体（４２）とを介して揺動可能に連結されており、
外刃ホルダー（２５）が、かみそりヘッド（６）の装着部（３８）に嵌着する使用位置と、装着部（３８）から分離して上方へスライド変位した揺動待機位置と、軸体（４２）を中心にして揺動されて内刃（２３）の外面を開放する開放位置とに変位できる電気かみそり。
【請求項２】
かみそりヘッド（６）の装着部（３８）と、外刃ホルダー（２５）との間に、外刃ホルダー（２５）を使用位置において係合保持するロック体（５１）が設けてある請求項１記載の電気かみそり。
【請求項３】
溝（４１）と軸体（４２）とが相対スライド可能に、かつ相対回動可能に構成してある請求項１または２記載の電気かみそり。
【請求項４】
溝（４１）の周壁の一部に軸体（４２）の出入りを許す連結口（４３）が設けてある請求項１、２または３記載の電気かみそり。
【請求項５】
かみそりヘッド（６）に溝（４１）を画成する左右一対のガイド枠（４０）が設けられ、外刃ホルダー（２５）に左右一対の軸体（４２）が設けてある請求項１、２、３または４記載の電気かみそり。
【請求項６】
開放位置における外刃ホルダー（２５）が、使用位置における装着姿勢から反転している請求項１、２、３、４または５記載の電気かみそり。
【請求項７】
かみそりヘッド（６）には、上下方向の溝（４１）が設けられており、
使用位置と揺動待機位置との間の溝（４１）の周壁に軸体（４２）の出入りを許す連結口（４３）が設けてある請求項１、２、３、４、５または６記載の電気かみそり。
【請求項８】
かみそりヘッド（６）には、上下方向の溝（４１）が設けられており、
使用位置より下方の溝（４１）の周壁に軸体（４２）の出入りを許す連結口（４３）が設けてある請求項１、２、３、４、５または６記載の電気かみそり。
【請求項９】
かみそりヘッド（６）が本体ケース（１）の側に設けた左右一対の側枠（５）で軸（２８）を介して首振り自在に軸支されており、
揺動待機位置における外刃ホルダー（２５）の揺動中心が軸（２８）より下方に配置してある請求項１、２、３、４、５、６または７記載の電気かみそり。
【請求項１０】
溝（４１）の溝幅が、連結口（４３）の近傍において軸体（４２）の径寸法より小さく設定してある請求項４または７記載の電気かみそり。
【請求項１１】
開放揺動した外刃ホルダー（２５）を受け止めて、外刃ホルダー（２５）の自重による抜け外れを防ぐ突起（５３）が、連結口（４３）より上方に設けてある請求項４、７または１０記載の電気かみそり。
【請求項１２】
溝（４１）の下端に軸体（４２）の抜け出しを防ぐ保持部（４４）が設けてある請求項５、６、７、９、１０または１１記載の電気かみそり。
【発明の詳細な説明】
【０００１】
【発明の属する技術分野】
この発明は、外刃ホルダーがかみそりヘッドに対して、揺動しながら内刃の外面を開放し、あるいは内刃に密着できるように連結してある電気かみそりに関する。
【０００２】
【従来の技術】
この種の電気かみそりは、特開昭６３−８２６９４号公報に公知である。そこでは、本体ケースの左右両側に上下に出没するスライド枠を設け、片方のスライド枠で外刃ホルダーをヒンジを介して上下揺動可能に支持し、捻りコイルで開き揺動する向きに付勢している。一対のスライド枠はそれぞればねで上向きに突出付勢されており、本体ケース内へ退入した状態で待機保持されている。この状態でケース両側面のロック解除ボタンを押し込み操作すると、両スライド枠が上方へスライド変位して、外刃ホルダーを内刃と接当干渉しない位置まで押し上げる。さらに一方のスライド枠に設けた開放ボタンを押し込むと、外刃ホルダーはヒンジ中心の回りに上開らき揺動する。この状態で内刃を水洗い洗浄する。
【０００３】
上記の電気かみそりにおいては、ヒンジ中心軸が本体ケースの一側にケース前後中心軸と平行に設けてあって、外刃ホルダーは本体ケースの一側方へ向かって開放揺動するが、ヒンジ中心軸をケース左右中心軸と平行に設けて、外刃ホルダーを前後方向へ開放揺動する電気かみそりが実開平４−１０８０７０号公報に公知である。但し、この電気かみそりは、外刃ホルダーの揺動先端側の内面にブラシが設けてあって、外刃ホルダーを揺動開閉することによって、内刃に付着した毛屑を清掃できるようにしたものでしかない。
【０００４】
【発明が解決しようとする課題】
上記の前者電気かみそりにおいては、外刃ホルダーを左右一対のスライド枠で支持するので、スライド枠やばね、およびヒンジ等の余分な部品が不可欠であり、その分だけ構造が複雑でコストが嵩む。外刃ホルダーを一側方へ開放揺動する形態を採るので、例えば首振り式の電気かみそりのように、外刃ホルダーの両側に首振りヘッドを支持する側枠が設けてあるような場合に、側枠が邪魔になって、外刃ホルダーを側方へ開放揺動できないことがあり、適用対象が限られる不利もある。
【０００５】
この点、後者電気かみそりのように、外刃ホルダーを前後方向へ開放揺動すると、首振り式の電気かみそりに適用できる。しかし、外刃ホルダーがヒンジを介して前後揺動可能に支持してあるに過ぎないので、外刃ホルダーの揺動角度を大きくすることができないうえ、水洗いする場合には、外刃ホルダーが邪魔になるので、内刃に対して前面側から水を流し掛けねばならない不便がある。外刃ホルダーの形状や構造も特殊化せざるを得ない。
【０００６】
この発明の目的は、外刃ホルダーがかみそりヘッドに対して連結されていて、必要時には外刃ホルダーを開放揺動して内刃の外面を大きく開放できるようにした電気かみそりを提供することにある。この発明の他の目的は、必要に応じて外刃ホルダーをかみそりヘッドから取り外すことができ、例えば外刃の交換や外刃の独立洗浄等を簡便に行える電気かみそりを提供することにある。この発明の他の目的は、開放揺動した外刃ホルダーへの流体の衝突衝撃によって、かみそりヘッドに断続的で不規則な衝撃を作用でき、これにより清掃時の洗浄効果を向上できる電気かみそりを提供することにある。
【０００７】
【課題を解決するための手段】
この発明の電気かみそりは、かみそりヘッド６に設けた外刃ホルダー２５が、かみそりヘッド６の前後面のいずれか一方に設けた左右方向の軸線を中心にして、前後方向へ揺動可能に支持してある。外刃ホルダー２５とかみそりヘッド６とは、これらのいずれか一方に設けた上下方向の溝４１と、溝４１に対して相対スライドする軸体４２とを介して揺動可能に連結されていて、外刃ホルダー２５が、かみそりヘッド６の装着部３８に嵌着する使用位置と、装着部３８から分離して上方へスライド変位した揺動待機位置と、軸体４２を中心にして揺動されて内刃２３の外面を開放する開放位置とに変位できる点に特徴を有する。
【０００８】
かみそりヘッド６の装着部３８と、外刃ホルダー２５との間には、外刃ホルダー２５を使用位置において係合保持するロック体５１を設ける。
【０００９】
溝４１と軸体４２とは相対スライド可能に、かつ相対回動可能に構成する。
【００１０】
溝４１の周壁の一部に軸体４２の出入りを許す連結口４３を設ける。
【００１１】
かみそりヘッド６に溝４１を画成する左右一対のガイド枠４０を設け、外刃ホルダー２５に左右一対の軸体４２を設ける。
【００１２】
開放位置における外刃ホルダー２５は、使用位置における装着姿勢から反転している。
【００１３】
かみそりヘッド６に、上下方向の溝４１を設ける。使用位置と揺動待機位置との間の溝４１の周壁に軸体４２の出入りを許す連結口４３を設ける。
【００１４】
かみそりヘッド６に、上下方向の溝４１を設ける。使用位置より下方の溝４１の周壁に軸体４２の出入りを許す連結口４３を設ける。
【００１５】
かみそりヘッド６が本体ケース１の側に設けた左右一対の側枠５で軸２８を介して首振り自在に軸支されている電気かみそりにおいては、揺動待機位置における外刃ホルダー２５の揺動中心を軸２８より下方に配置する。
【００１６】
溝４１の溝幅を、連結口４３の近傍において軸体４２の径寸法より小さく設定する。
【００１７】
開放揺動した外刃ホルダー２５を受け止めて、外刃ホルダー２５の自重による抜け外れを防ぐ突起５３を、連結口４３より上方に設ける。
【００１８】
溝４１の下端に軸体４２の抜け出しを防ぐ保持部４４を設ける。
【００１９】
【作用および発明の効果】
外刃ホルダー２５と、溝４１と軸体４２とを介してかみそりヘッド６に連結し、外刃ホルダー２５を上方へスライドした後、反転状に開放揺動するので、内刃２３の外面を大きく開放できる。従って、例えば水洗いする場合には前後面のいずれの側からでも流水を内刃２３に流し掛けることができ、これにより内刃２３やその周辺に付着した毛屑を隅々まで確実に洗い流すことができる。なお、内刃２３等の清掃は、清掃用のブラシを用いて行うのはもちろん、圧縮空気を吹き付け、あるいは真空掃除器を用いて行うことができる。スライド枠を押し上げて外刃ホルダーを開放揺動する構造の従来の電気かみそりに比べて、部品点数を減らせる分だけ電気かみそりの製作コストを削減できる。
【００２０】
外刃ホルダー２５と装着部３８との間に設けたロック体５１は、かみそり使用時に外刃ホルダー２５が内刃２３から浮き離れる向きにスライド変位するのを阻止して、外刃ホルダー２５を常に適正な使用位置に保持し続けるために設けてある。
【００２１】
溝４１と軸体４２とを、相対スライド可能に、しかも相対回動可能に構成すると、任意のスライド位置において外刃ホルダー２５がかみそりヘッド６に対して相対揺動できるので、開放揺動した外刃ホルダー２５を自由揺動可能にぶらさげ支持できる。従って、流水を外刃ホルダー２５に流し掛け、あるいは圧縮空気を吹き付けると、その接当衝撃作用によって外刃ホルダー２５を断続的に、しかも不規則に揺振でき、このときの外刃ホルダー２５の振動やかみそりヘッド６との接当衝撃によって、かみそりヘッド６や外刃ホルダー２５の洗浄効果を向上できる。
【００２２】
溝４１の周壁の一部に設けた連結口４３を介して、軸体４２と溝４１を係合連結する形態を採ると、外刃ホルダー２５のかみそりヘッド６に対する着脱を容易に行えるので、かみそりヘッド６から分離した外刃ホルダー２５のみを別途洗浄し、あるいは外刃２６の交換作業を簡便に行える。例えば、外刃ホルダー２５と、かみそりヘッド６から分離した内刃２３とを、超音波洗浄器で洗浄するのに都合がよい。
【００２３】
かみそりヘッド６の側に溝４１を形成すると、溝４１をかみそりヘッド６の構成部品と一体に成形できるので、部品数の増加を防止できるうえ、溝４１を画成するガイド枠４０の構造強度を増強できる。開放位置における外刃ホルダー２５を、使用位置における装着姿勢を基準にして反転揺動させる電気かみそりにおいては、毛屑室３７の前後面を全開放できるので、とくに、毛屑室３７の内底や隅部に付着している毛屑や皮脂等をきれいに洗い流し、あるいは吹き飛ばし除去できる。また、図１６に示すように反転揺動した外刃ホルダー２５をスタンド代わりにして、水洗いした電気かみそりを乾燥させるのに都合がよい。
【００２４】
連結口４３を溝４１の上下方向中途部に設ける連結構造によれば、使用位置にある外刃ホルダー２５を上下スライド操作し、開放揺動した後、その状態のままで下方スライド操作しない限りは、溝４１と軸体４２を分離できない。つまり、使用者の明確な意図がない限りは、外刃ホルダー２５をかみそりヘッド６から取り外すことができない。連結口４３を使用位置より下方に設ける場合にも、同様に一連の操作手順を経てからでないと、外刃ホルダー２５を取り外すことはできない。
【００２５】
前後に揺動開閉する外刃ホルダー２５は、首振り型の電気かみそりにも支障なく適用できる。このとき、外刃ホルダー２５の揺動中心を、かみそりヘッド６の首振り中心となる軸２８より下方に配置すると、かみそりヘッド６および外刃ホルダー２５の重力モーメントと、外刃ホルダー２５に作用する流水の落下モーメントとによって、水洗い時のかみそりヘッド６を図１４に示すように常に一定方向へ傾動させて、毛屑室３７の内底面を流水の落下方向に対して傾斜させ、そこに流水を直接衝突させることができる。従って、落ちにくい皮脂塊等が毛屑室３７の底面等に付着しているような場合にも、確実かつ容易に洗い流すことができる。
【００２６】
溝４１の溝幅を連結口４３の近傍において軸体４２の径寸法より小さく設定するのは、開放揺動した外刃ホルダー２５が、清掃時等に遊動して連結口４３から抜け出るのを防止し、使用者の明確な意図がない限りは、外刃ホルダー２５をかみそりヘッド６から取り外せないようにするためである。
【００２７】
連結口４３より上方に突起５３を設けるのも、上記と同様に外刃ホルダー２５の自重による抜け外れを防ぐためである。なお、この場合の突起５３は、先に説明したロック体５１で兼用することができる。
【００２８】
溝４１の下端に設けた保持部４４は、外刃ホルダー２５を装着部３８に嵌着した使用位置において、外刃ホルダー２５に設けた軸体４２が前後方向へ遊動しようとするのを阻止して、外刃ホルダー２５を適正な装着状態に安定して維持できる。
【００２９】
【実施例】
図１ないし図１６にこの発明を適用した水洗い式の電気かみそりを示す。この電気かみそりはかみそりヘッドが前後揺動自在に軸支された、首振り型の電気かみそりからなる。図２ないし図７において、電気かみそりは、下向きに開口する異形筒形の本体ケース１と、その内部に下面側から差し込み装填される電装品ユニット２、および底ケース３と、本体ケース１の上面に固定されるヘッドフレーム４と、ヘッドフレーム４の左右一対の側枠５・５で前後揺動自在に、つまり首振り自在に支持されたかみそりヘッド６などを主な構成部材にして構成してある。ヘッドフレーム４と電装品ユニット２とを、本体ケース１の上壁を間にしてビス７で締結し、さらに、底ケース３と電装品ユニット２とをビス８で締結し、これらの締結部をオイルリングやパッキンでシールすることにより、本体ケース１内への水の浸入を阻止し、かみそりヘッド６の水洗いを可能としている、なお、電装品ユニット２は、プラスチック成形されたユニットベース１１にモータ９、二次電池１０、回路基板などを組み付け、回路基板上にモータ起動用のスイッチ等を配置してなる。図７において符号１９は、外刃ホルダー２５用のキャップである。
【００３０】
本体ケース１の前面にはモータ起動用のスイッチノブ１３を設ける。ヘッドフレーム４の後にはきわぞり刃ユニット１４を配置し、このユニット１４を起伏操作するスライドノブ１５を本体ケース１の後面に設けている。モータ動力は、モータ９の出力軸に固定した偏心カム１６と、偏心カム１６でそれぞれ往復駆動されるきわぞり系の振動子１７、および内刃系の振動子１８を介して、きわぞり刃ユニット１４、および内刃２３に伝動される。
【００３１】
図８ないし図１０においてかみそりヘッド６は、逆門形のフレーム２０と、フレーム２０にビス止めされる蓋体２１とを取付基体にして、フレーム２０と蓋体２１で囲まれる室内に内刃用の振動子１８と、外刃ホルダー２５用のロック機構とを組み込み、蓋体２１の上面に突出する前後一対の駆動軸２２に、それぞれ内刃２３を分離可能に圧嵌装着している。前後一対の駆動軸２２には、これらと同行移動する駆動ピース２４が外嵌固定してある。フレーム２０に嵌着される外刃ホルダー２５に、先の内刃２３に対応する前後一対の外刃２６と、先の駆動ピース２４で往復駆動されるセンタートリマ２７とが設けてある。フレーム２０の左右一対の側壁の外面に固定した軸２８を、ヘッドフレーム４で軸支することにより、かみそりヘッド６の全体が前後方向へ首振り揺動できる。首振り時の動力伝動を可能とするために、先の振動子１８の受動溝は、部分円弧状に湾曲形成してある（図１０参照）。
【００３２】
かみそりヘッド６を首振り不能にロックするために、図８に示すようにヘッドフレーム４の一側に上下スライドするロックノブ３０とロック棒３１とを設け、ロック棒３１が上方スライドしてフレーム２０のロック凹部３２と係合する状態において、かみそりヘッド６をロック固定できるようにしている。
【００３３】
外刃ホルダー２５は、前後壁と左右側壁とを有する上下面が開口するホルダー枠３５を有し、その内面の前後中央に、先のセンタートリマ２７と、補強枠３６を装着し、ホルダー枠３５の前後壁と補強枠３６とで、前後の外刃２６を断面アーチ形に保形保持している。外刃ホルダー２５をかみそりヘッド６に嵌着した状態において、その前後壁がフレーム２０の前後面に設けた段状の装着部３８に外嵌して前後遊動不能に受け止められ、さらにその左右側壁がフレーム２０の側壁内面で左右遊動不能に受け止められている。この状態の外刃ホルダー２５とフレーム２０との間に、内刃２３で切断された毛屑を収容する毛屑室３７が区画される（図１０参照）。
【００３４】
外刃ホルダー２５は、かみそりヘッド６に対して、前後方向へ開放揺動可能に連結されていて、水洗い時に内刃２３の外面を大きく開放できるようになっている。そのために、図１１に示すように蓋体２１の後面両側に左右一対のガイド枠４０を一体に成形し、ガイド枠４０で区画した上下に長い溝４１で、ホルダー枠３５の後壁の下端両側に突設した軸体４２を上下スライド自在に案内支持している。図１においてガイド枠４０の下端寄りには、軸体４２の出し入れを許す連結口４３を設け、この連結口４３より下側の枠部分を保持部４４としている。なお、連結口４３の上下隙間は、軸体４２の直径寸法より僅かに小さく設定してある。
【００３５】
上記のように、ホルダー枠３５に設けた軸体４２を溝４１でスライド案内することにより、外刃ホルダー２５は、そのホルダー枠３５が装着部３８に嵌着され、同時に外刃２６が内刃２３に密接する使用位置（図１０の状態）と、外刃ホルダー２５の全体が上方スライドして、装着部３８および内刃２３から分離した揺動待機位置（図１に示す状態）と、外刃ホルダー２５が軸体４２を中心にしてかみそり後面側へ反転揺動して内刃２３および毛屑室３７の前後面を完全に開放する開放位置（図１４に示す状態）とに変位できる。外刃ホルダー２５を、一旦揺動待機位置まで上方スライドさせるのは、その開放揺動時に、ホルダー枠３５が内刃２３と接当干渉するのを避け、さらにセンタートリマ２７と駆動ピース２４を分離するためである。
【００３６】
装着部３８に嵌着した外刃ホルダー２５をロック保持するために、図１２に示すロック機構を設けている。ロック機構は、ヘッドフレーム４の一方の側枠５に装着したロック解除用のボタン４６と、フレーム２０内に組み込まれたロックピース４７および左右一対の圧縮コイル形のばね４８とホルダー枠３５の前後壁の内面に設けた係合凹部４９などで構成する。図６においてロックピース４７は、前後中央に設けた横長棒状の芯軸５０と、装着部３８の前後壁から外面に突出する左右一対ずつのロック体５１と、芯軸５０とロック体５１とを繋ぐ４個のヒンジ部５２とを一体に形成したプラスチック成形品からなり、前後で対を為すロック体５１・５１の間にばね４８を介装して、各ロック体５１・５１を前方および後方へ向かって進出付勢する。芯軸５０の一端は、フレーム２０の一側壁でスライド自在に案内支持されて、その軸端がボタン４６に臨んでいる。従って、ボタン４６を押し込み操作すると、芯軸５０が図１２において中右方へ移動して、各ロック体５１をばね４８の付勢力に抗しながらフレーム内方へ退入操作し、係合凹部４９との係合状態を解除する。
【００３７】
上記のように構成した電気かみそりは、図１４および図１５に示すようにして水洗い洗浄する。洗浄前に、ボタン４６を押し込んでロック体５１と係合凹部４９の係合状態を解除する。このロック解除操作によって、外刃ホルダー２５の全体が内刃２３を押し上げ付勢するばねで、数mm上方変位される。この状態のまま、外刃ホルダー２５を溝４１に沿って揺動待機位置まで上方スライドすると、軸体４２が溝４１の上端で受け止められるので、引き続き外刃ホルダー２５をかみそり後方へ反転状に揺動操作することにより、内刃２３の前後面を開放できる。
【００３８】
開放された内刃２３や毛屑室３７に流水を流し掛けることにより、これらに付着した毛屑や皮脂をきれいに洗い流すことができる。このとき、外刃ホルダー２５の軸体４２は、かみそりヘッド６の軸２８の位置より下方に位置しているので、かみそりヘッド６は、自重と外刃ホルダー２５との重力モーメントによって毛屑室３７の内底面がやや上向きになるように傾斜する。従って、とくにかみそりヘッド６を傾ける必要もなく、流水を先の内底面やその隅部に直接衝突させることができる。また、流水を反転した外刃ホルダー２５の内面に流し掛けることにより、外刃ホルダー２５を断続的にしかも不規則に振動させ、あるいはホルダー枠３５をフレーム２０に衝突させることができ、これらの振動や衝突時の衝撃力によって、かみそりヘッド６の全体をがた付かせて、内刃２３や毛屑室３７に付着した皮脂塊や毛屑を振るい落とすことができる。
【００３９】
かみそり後面側から水を流し掛ける場合には、図１５に示すように、外刃ホルダー２５を指先で押え保持したうえで、必要個所に流水を流し掛ける。必要があれば、外刃ホルダー２５の軸体４２を連結口４３から抜き出してかみそりヘッド６から分離し、外刃ホルダー２５のみを別途洗浄してもよい。洗浄し終わった電気かみそりは、図１６に示すように反転揺動した外刃ホルダー２５をスタンドにして放置することにより、かみそりヘッド６や外刃ホルダー２５等に付着した水滴を効果的に乾燥できる。
【００４０】
ロック体５１は、揺動待機位置において開放揺動した外刃ホルダー２５が、自重で溝４１に沿ってスライドし、連結口４３から抜け落ちてしまうのを防ぐための突起５３を兼ねている（図１１参照）。この突起５３（ロック体５１）との接当干渉を避けて、外刃ホルダー２５を支障なく抜き出し操作するために、係合凹部４９の下方に逃げ溝５４を形成している（図１参照）。すなわち、外刃ホルダー２５の開放角度（図１点線の外刃ホルダー２５の開放角度のままスライドした場合）によっては、突起５３により、接当干渉しスライド規制されるが、突起５３の接当位置で、意図的に角度を起こせば干渉を避けることができ、スムーズに下方にスライドが可能となり、外刃ホルダー２５を脱することができる。もちろん突起５３はロック体５１を兼用し、退入可能に設けられているので、外刃ホルダー２５を強引に強く押し下げれば、どの角度でも下方スライドはできる。外刃ホルダー２５を装着部３８に嵌着した状態においては、図１０に示すように軸体４２がガイド枠４０の下端の保持部４４で受け止め保持される。従って、落下衝撃等によってホルダー枠３５に外力が作用するような場合にも、その前後壁が装着部３８から離れる向きに遊動するのを防いで、外刃ホルダー２５を適正な装着状態に維持し続けることができる。
【００４１】
次に外刃ホルダー２５とかみそりヘッド６の連結構造を変更した別の実施例を示す。図１７においては、溝４１の全長を使用位置における軸体４２の位置より下方へ延長し、使用位置より下方の溝４１の周壁に連結口４３を設けた。さらに、開放揺動した外刃ホルダー２５が自重で連結口４３から抜け出てしまうのを防ぐために、ガイド枠４０を連結口４３の近傍において溝内方へ屈曲させて、その部分における溝４１の溝幅を軸体４２の径寸法より小さく設定した。外刃ホルダー２５を完全に脱する場合は、ガイド枠４０の弾性圧に抗して軸体４２を下方に押し下げ、連結口４３から抜き出す。
【００４２】
図１８においては、ホルダー枠３５の側に一対のスライド腕５６を突設し、両腕５６の対向面のそれぞれに溝４１を凹み形成した。これに対応して、フレーム２０の側に左右一対のブラケット５７を突設し、各ブラケット５７の外側面に溝４１をスライド案内する軸体４２を突設した。このように、溝４１と軸体４２とは、かみそりヘッド６と外刃ホルダー２５のいずれの側に設けることができる。この場合は、一対のスライド腕５６を左右外方向へ弾性変形させて、溝４１を軸体４２に係合できる。つまり連結口４３は省略することができる。
【００４３】
溝４１と軸体４２とはかみそりヘッド６の側にまとめて設けることができる。例えば、図１９に示すように、軸体４２を溝４１で上下スライドは可能に、しかし抜け外れは不能にスライド案内しておき、溝外に突出する軸体４２に外刃ホルダー２５を連結する。
【００４４】
図２０に示すように、連結口４３はガイド枠４０の上部前面側に形成することができる。この場合には、連結口４３が後面側にないので、開放した状態の洗浄時、外刃ホルダー２５の自重による外れを可及的に防止できる。
【００４５】
上記の実施例以外に、この発明は首振り型ではない通常形態の電気かみそりや、内刃が横軸回りに回転支持してあるロータリー式の電気かみそりに適用できる。また、センタートリマを備えていない電気かみそりや、内刃２３が一個だけ設けてある電気かみそりにも、等しく適用できる。
【図面の簡単な説明】
【図１】かみそりヘッドの縦断側面図である。
【図２】電気かみそりの斜視図である。
【図３】本体ケースの分解斜視図である。
【図４】電装品ユニットの斜視図である。
【図５】内刃およびきわぞり刃の駆動構造を示す斜視図である。
【図６】かみそりヘッドの分解斜視図である。
【図７】電気かみそりの分解断面図である。
【図８】図１０におけるＡ−Ａ線断面図である。
【図９】図１０におけるＢ−Ａ線断面図である。
【図１０】図８におけるＣ−Ｃ線断面図である。
【図１１】外刃ホルダーを分解した電気かみそりの背面図である。
【図１２】図８におけるＤ−Ｄ線断面図である。
【図１３】図８におけるＥ−Ｅ線断面図である。
【図１４】水洗い状態を示す側面図である。
【図１５】別の水洗い状態を示す側面図である。
【図１６】乾燥状態を示す側面図である。
【図１７】溝の別の実施例を示す側面図である。
【図１８】外刃ホルダの連結構造の別の実施例を示す背面図である。
【図１９】外刃ホルダの連結構造のさらに別の実施例を示す一部破断背面図である。
【図２０】溝のさらに別の実施例を示す側面図である。
【符号の説明】
６  かみそりヘッド
２３  内刃
２５  外刃ホルダー
３８  装着部
４１  溝
４２  軸体
【図１】
0004367673.tif 000002
【図２】
0004367673.tif 000003
【図３】
0004367673.tif 000004
【図４】
0004367673.tif 000005
【図５】
0004367673.tif 000006
【図６】
0004367673.tif 000007
【図７】
0004367673.tif 000008
【図８】
0004367673.tif 000009
【図９】
0004367673.tif 000010
【図１０】
0004367673.tif 000011
【図１１】
0004367673.tif 000012
【図１２】
0004367673.tif 000013
【図１３】
0004367673.tif 000014
【図１４】
0004367673.tif 000015
【図１５】
0004367673.tif 000016
【図１６】
0004367673.tif 000017
【図１７】
0004367673.tif 000018
【図１８】
0004367673.tif 000019
【図１９】
0004367673.tif 000020
【図２０】
0004367673.tif 000021